(57)【要約】【課題】充電台の形態を組み替え可能とし使い勝手を高めることが可能な電気掃除機を提供する。【解決手段】電源となる充電式電池と、電動送風機を収容する掃除機本体と、電池を充電するＡＣアダプタと、ＡＣアダプタを着脱可能な充電台と、を備え、前記充電台はベース部材と、スタンド部材と、ホルダ部材から構成され、前記充電台はベース部材とスタンド部材とホルダ部材の組み合わせおよびベース部材とホルダ部材の組み合わせの２通りで選択可能に使用できる。【選択図】図１
2019187576.tif 000002
【特許請求の範囲】
【請求項１】
電源となる充電式電池と、電動送風機を収容する掃除機本体と、電池を充電するＡＣアダプタと、ＡＣアダプタを着脱可能な充電台と、を備え、前記充電台はベース部材と、スタンド部材と、ホルダ部材から構成され、前記充電台はベース部材とスタンド部材とホルダ部材の組み合わせおよびベース部材とホルダ部材の組み合わせの２通りで選択可能に使用できることを特徴とする電気掃除機。
【請求項２】
前記スタンド部材は、複数の部材に分割可能に構成されていることを特徴とする請求項１に記載の電気掃除機。
【請求項３】
前記ベース部材は、内部に重りを内蔵可能に構成されていることを特徴とする請求項１に記載の電気掃除機。
【請求項４】
前記スタンド部材およびホルダ部材の背面には、前記ＡＣアダプタのケーブルを収納可能な溝部が設けられていることを特徴とする請求項１に記載の電気掃除機。
【請求項５】
前記ホルダ部材には、壁面にネジなどで固定可能な穴部が設けられていることを特徴とする請求項１に記載の電気掃除機。
【請求項６】
掃除機を収納可能な掃除機収納台において、
前記掃除機収納台は、ベース部材と、スタンド部材と、ホルダ部材を有し、
前記ベース部材と前記部材のみを接続する状態の前記掃除機収納台は、第一状態の掃除機を収納可能であり、
前記ベース部材と前記スタンド部材と前記ホルダ部材を接続する状態の前記掃除機収納台は、第二状態の掃除機を収納可能である掃除機収納台。
【発明の詳細な説明】
【技術分野】
【０００１】
本発明は、電気掃除機に関する。
【背景技術】
【０００２】
従来の充電式電気掃除機では、掃除機本体を充電回路が内蔵されている充電台に置くことで本体に接続した電池を充電しつつ収納・保管することが行われている（例えば、特許文献１参照）。
【先行技術文献】
【特許文献】
【０００３】
【特許文献１】特開２０１６−３９８６０号公報
【発明の概要】
【発明が解決しようとする課題】
【０００４】
しかしながら、電気掃除機を主にハンディ状態で使用する場合、充電台が高い位置にあるため、未使用時に余分な空間を占有してしまうことや収納時に不安定になってしまう恐れがあった。
【０００５】
本発明は、前記した従来の課題を解決するものであり、ハンディ状態でもスティック状態でも安定して収納可能な充電台を備えた電気掃除機を提供することを目的とする。
【課題を解決するための手段】
【０００６】
本発明は、電源となる充電式電池と、前記電動送風機を収容する掃除機本体と、電池を充電するＡＣアダプタと、ＡＣアダプタを着脱可能な充電台と、を備え、前記充電台はベース部材と、スタンド部材と、ホルダ部材から構成され、前記充電台はベース部材とスタンド部材とホルダ部材の組み合わせおよびベース部材とホルダ部材の組み合わせの２通りで選択可能に使用できることを特徴とする。
【発明の効果】
【０００７】
本発明によれば、電気掃除機の使用状態に応じて充電時の収納方式を選択可能な電気掃除機を提供できる。
【図面の簡単な説明】
【０００８】
【図１】（ａ）本実施形態の電気掃除機をスティック状態で充電台に収納した状態を示す斜視図である。（ｂ）本実施形態の電気掃除機をハンディ状態で充電台に収納した状態を示す斜視図である。
【図２】本実施形態の電気掃除機の分解図である。
【図３】図２のＸ方向矢視図である。
【図４】本実施形態の電気掃除機の斜視図である。
【図５】本実施形態の電気掃除機の平面図である。
【図６】図５のＶＩ−ＶＩ線断面図である。
【図７】（ａ）本実施形態のスティック用充電台の前方向斜視図である。（ｂ）本実施形態のスティック用充電台の後ろ方向斜視図である。
【図８】本実施形態のスティック用充電台の分解斜視図である。
【図９】（ａ）本実施形態のハンディ用充電台の前方向斜視図である。（ｂ）本実施形態のハンディ用充電台の後ろ方向斜視図である。
【図１０】本実施形態のハンディ用充電台の分解斜視図である。
【図１１】（ａ）図７（ａ）および図９（ａ）の本体接続部拡大図である。（ｂ）図７（ｂ）および図９（ｂ）の本体接続部拡大図である。
【図１２】ＡＣアダプタの出力プラグと接続される電気掃除機の本体端子部をダストケース側から見上げた状態を示す斜視図である。
【図１３】本実施形態のＡＣアダプタの外観斜視図である
【図１４】本実施形態のＡＣアダプタを単体で電気掃除機に接続した状態を示す外観斜視図である
【図１５】（ａ）ＡＣアダプタ８０を充電台のホルダ部材に取り付ける様子を示す斜視図。（ｂ）（ｃ）（ｄ）中央断面図である。
【図１６】本体端子部とＡＣアダプタ出力プラグの接続状態を示す断面図である。
【図１７】スティック状態の電気掃除機で床面を掃除するときの使用形態図である。
【図１８】スティック状態の電気掃除機で高い場所を掃除するときの使用形態図である。
【発明を実施するための形態】
【０００９】
以下、本発明を実施するための形態（以下「実施形態」という）について、適宜図面を参照しながら詳細に説明する。
【００１０】
図１（ａ）は、本実施形態の電気掃除機をスティック状態にて充電台に収納した状態を示す斜視図である。
【００１１】
電気掃除機１００は、ハンディ状態、スティック状態など各種の使用状態に変更して掃除を行うことができるものである。電気掃除機１００が収納される充電台７０ａは、電気掃除機１００をスティック状態で収納するものであり、ベース部材７１とスタンド部材７２とホルダ部材７３を備えて構成されている。ホルダ部材７３には電気掃除機１００に装着されている蓄電池３を充電するためのＡＣアダプタ８０の出力プラグ８１が取り付けられるようになっており、電気掃除機１００を充電台７０ａにセットすると出力プラグ８１が電気掃除機１００の入力ジャック１７ｂに接続され充電できるようになっている。このようにすることで充電台自体には一切電気部品を設けることなく構成することができコストを抑える事や生産性の向上を図ることができる。また、スタンド部材７２の有無で電気的な接続の変化が無いため、製品の信頼性を確保することができる。
【００１２】
ベース部材７１は、載置面７１ａと、延出部７１ｂと、を有する。載置面７１ａは、略矩形状の板形状の部分である。延出部７１ｂは、略円錐台形状の部分である。延出部７１ｂは、載置面７１ａに対して、略垂直となるように設けられる。延出部７１ｂの中心軸は、載置面７１ａの短辺方向略中央、かつ長辺方向の略3/4程度のところに、位置するように設けられる。
【００１３】
また、図１（ｂ）は、本実施形態の電気掃除機をハンディ状態にて充電台に収納した状態を示す斜視図である。本状態における充電台７０ｂは、電気掃除機１００をハンディ状態で収納するものであり、充電台７０ａとは異なりスタンド部材７２を省いてベース部材７１とホルダ部材７３のみを備えて構成されている。
【００１４】
図２は、本実施形態の電気掃除機の分解図である。
【００１５】
図２に示すように、電気掃除機１００は、掃除機本体１、ダストケース２（集塵装置）、蓄電池３（蓄電装置）、気密保持部材９０を備えて構成されている。
【００１６】
掃除機本体１は、本体部１０、モータケース部１１、ハンドル部１２を備えて構成されている。
【００１７】
本体部１０は、延長管３００（図１参照）や標準吸口４００（図１参照）などが接続される接続口１０ａ（吸引口）が形成されている。この接続口１０ａは、本体部１０、モータケース部１１、ハンドル部１２などと同様の樹脂で成形されている。また、接続口１０ａは、略円形の開口を有し、前方を向いて形成されている。また、接続口１０ａには、付属品としての、隙間・ブラシ切替ノズル１１０、延長管３００、標準吸口４００、小型吸口６００、ほうき型吸口７００など（以下、まとめてアタッチメントと場合もある）を接続することができるようになっている。
【００１８】
また、本体部１０には、ダストケース２が着脱自在に取り付けられるとともに、接続口１０ａから吸い込まれた塵挨を含む空気をダストケース２に送り込む導入管１４（図３参照）を備えている。
【００１９】
モータケース部１１には、電動送風機４０（図６参照）と本体基板５０（図６参照）が内包されている。また、モータケース部１１の前面には、ダストケース２で集塵された後の清浄な空気が吸い込まれる円形の吸込口１１ａが形成されている。また、モータケース部１１の前面には、吸込口１１ａより下部に、充電台７０と接続される本体端子部１７が設けられている。
【００２０】
ハンドル部１２は、本体部１０の後側に設けられ、略Ｌ字状に形成された把持部１２ａを有している。この把持部１２ａは、前後方向に直線状に延びる第１把持部１２ａ１と、略上下方向に直線状に延びる第２把持部１２ａ２と、を有している。第１把持部１２ａ１は、第２把持部１２ａ２よりも上側かつ前側に位置している。第２把持部１２ａ２は、上下方向に対して上部が前方に向くように若干傾斜している。また、第１把持部１２ａ１と第２把持部１２ａ２は略棒状かつ連続して形成されている。このように、第１把持部１２ａ１についても、第２把持部１２ａ２についてもそれぞれ直線状に構成することで、使用者が持ち手の位置を認識し易くなる。また、第１把持部１２ａ１と第２把持部１２ａ２とが直角に近い角度で折れ曲がるように接続されているので、第１把持部１２ａ１を把持しているときに第２把持部１２ａ２に手がずれ難く、逆に第２把持部１２ａ２を把持しているときに第１把持部１２ａ１に手がずれ難くなる。
【００２１】
また、ハンドル部１２には、蓄電池３をロックするためのロック部材１３が設けられている。このロック部材１３は、ボタン型に形成されたものであり、揺動自在に支持されている。
【００２２】
また、ハンドル部１２の第１把持部１２ａ１の上面には、操作ボタン１２ｂが設けられている。操作ボタン１２ｂは、例えば、「強」、「標準」、「切」の３つのボタンで構成されている。
【００２３】
本体部１０の前端上部には、延長管３００（図１参照）などの付属品を取り外す際に操作される解除ボタン１８が設けられている。この解除ボタン１８を押下操作することで、本体部１０と付属品とのロックが解除されて、本体部１０から付属品の取り外しが可能となる。
【００２４】
また、本体部１０の前端には、気密保持部材９０が取り付けられている。この気密保持部材９０は、略円形の筒体９１を有している。この筒体９１は、先端側に軟質樹脂で環状に形成された弾性部９１ａを有している。筒体９１は、基端側に前記弾性部９１ａより硬質な材料で形成され、本体部１０に接続可能な接続部９１ｂを有している。筒体９１は、弾性部９１ａと接続部９１ｂの異種の２部材が一体に成形されることで構成されている。なお、弾性部９１ａは、エラストマなど弾性変形可能（撓み変形可能）な材料で構成されている。このような気密保持部材９０を掃除機本体１の接続口１０ａに取り付けることで、床面に気密保持部材９０の先端９０ｓの全体を密着させることができ、密着しない場合に比べて吸引力を向上させることができる。また、接続部９１ｂを硬質のもので形成することで、気密保持部材９０を本体部１０に脱落することなく安定した状態で取り付けることができる。
【００２５】
なお、本実施形態では、弾性部９１ａがエラストマなどの弾性材料で形成されている場合を例に挙げて説明したが、これに限定されるものではない。例えば、筒体９１の略全体を接続部９１ｂと同様の材料で形成し、筒体９１の先端に静電植毛された短毛を環状に備えたものであってもよい。このような静電植毛を備えたものであっても、エラストマと同様に、気密保持部材９０の先端を床面に密着させることが可能になり、吸引力を向上できる。
【００２６】
本体部１０の接続口１０ａの外側面には、縦方向に細長い嵌合溝１０ｂが形成されている。この嵌合溝１０ｂは、左右両側に１条ずつ形成されている。接続部９１ｂの基端には、前記嵌合溝１０ｂと凹凸嵌合して係止される突起部（不図示）が形成されている。
【００２７】
また、本体部１０には、接続口１０ａの上部に、発光素子１０ｃ（図２参照）が設けられている。この発光素子１０ｃは、前方つまり被清掃面（床面など）に向けて発光するように構成されている。また、発光素子１０ｃの先端面１０ｃ１は、接続口１０ａの先端１０ａ１と略同一面上に位置している。
【００２８】
蓄電池３は、電動送風機４０（図６参照）などに電力を供給するものであり、リチウムイオン、ニッケル水素などの二次電池で構成されている。また、蓄電池３は、合成樹脂製の略半円筒状のケース３ａを有し、ケース３ａを前後方向にスライドさせることで本体部１０に対して着脱できる。
【００２９】
ケース３ａの上面には、本体部１０と接続される端子部３ｂが設けられている。また、ケース３ａの上面には、端子部３ｂの前方に、本体部１０にスライド可能に支持されるスライド溝３ｃが形成されている。また、ケース３ａの上面には、端子部３ｂの後方に、本体部１０にスライド可能に支持されるスライドレール３ｄ，３ｄが左右側方に突出して形成されている。
【００３０】
また、ケース３ａの前面には、左右方向（幅方向）の一方（左側）に、蓄電池３を冷却するための冷却用の空気が導入される導入孔３ｅが形成されている。この導入孔３ｅは、上下方向に細長く形成されている。
【００３１】
また、ケース３ａの前面には、左右方向（幅方向）の他方（右側）に、蓄電池３を冷却した後の空気が排出される排出孔３ｆが形成されている。この排出孔３ｆは、前記した導入孔３ｅと左右対称の形状を有するように形成されている。
【００３２】
また、ケース３ａの背面には、ロック部材１３が嵌合して本体部１０にロックされるロック凹部３ｇが形成されている。
【００３３】
図３は、図２のＸ方向矢視図である。
【００３４】
図３に示すように、ダストケース２は、サイクロン方式のものであり、導入管１４から吸込んだ塵埃を含む空気を、塵埃と空気とに分離し、塵埃を集める機能を有する。また、ダストケース２は、モータケース部１１の前方に軸方向を前後方向にして配置され、略円柱形状の収容部２ａを有している。また、ダストケース２の上面（側面）には、導入管１４と繋がる略矩形状の流入口２ｂ（図２参照）が形成されている。この流入口２ｂに流入した塵挨を含む空気は、旋回流となり、塵埃に遠心力が働き、ダストケース２内で塵挨と空気とに分離された後、塵埃が分離された空気がダストケース２の後部（背面）から排出される。
【００３５】
また、ダストケース２の前面には、ダストケース２内に溜まった塵埃を廃棄する際に開閉する蓋２ｃがヒンジ部２ｄを介して回動自在に支持されている。また、蓋２ｃの上部には、蓋２ｃのロックを解除するための蓋ロック機構２ｅが設けられている。なお、ダストケース２の内部の機構については、特開２０１６−１３７１６５号公報に基づいて構成することができる。
【００３６】
モータケース部１１の下部には、排気口１６が設けられている。この排気口１６は、前後方向に沿って複数のスリット１６ａを有し、複数のスリット１６ａが上下方向に並んで形成されている。なお、図示していないが、排気口１６は、左右の両側に設けられている。
【００３７】
図４は、本実施形態の電気掃除機の斜視図である。
【００３８】
図４に示すように、電気掃除機１００は、ダストケース２が本体部１０の下方かつモータケース部１１の前方に取り付けられる。この場合、ダストケース２を掃除機本体１に装着すると、蓋ロック機構２ｅが掃除機本体１側に隠れる。これは、蓋ロック機構２ｅを反対側（外側）に設けた場合、掃除中に蓋ロック機構２ｅが解除される恐れがあるが、蓋ロック機構２ｅが掃除機本体１側に隠れるようにすることで、誤動作を防止することができるからである。例えば、スティック状態でソファやベッドの下を掃除するときなど、掃除機本体１を床面に対して水平に近づける場合がある。このとき、蓋ロック機構２ｅを表側に設けた場合、床面と接触して蓋ロック機構２ｅが解除される可能性がある。蓋ロック機構２ｅとヒンジ部２ｄの位置はこの限りでなく、掃除機本体１に対し左右に設けても構わない。
【００３９】
また、ダストケース２には、お手入れブラシ２ｓ（図２、図３参照）が着脱自在に設けられている。このお手入れブラシ２ｓは、ダストケース２が掃除機本体１に装着されたときに外部から見え難い位置に配置されている。このため、運転中に外れ難く、また、お手入れブラシ２ｓを電気掃除機１００とは別の場所に保管しておく必要もない。
【００４０】
また、気密保持部材９０が掃除機本体１に取り付けられている場合には、気密保持部材９０によって発光素子１０ｃが覆われる。換言すると、発光素子１０ｃは、気密保持部材９よりも内側に位置するように気密保持部材９０の内径が設定されている。
【００４１】
図５は、本実施形態の電気掃除機の平面図である。
【００４２】
図５に示すように、気密保持部材９０の接続部９１ｂは、左右両側において、後方に延出する延出部９１ｂ１，９１ｂ１が形成されている。左側の延出部９１ｂ１と右側の延出部９１ｂ１との間は、平面視において凹状部９１ｂ２が形成されている。この凹状部９１ｂ２は、本体部１０の先端上面に形成された突出部１０ｄの前端部１０ｄ１と嵌合する。これにより、接続口１０ａ（図２参照）に対する気密保持部材９０の前後方向および左右方向の位置決めが行われる。
【００４３】
本体部１０に形成された導入管１４は、一旦右斜め後方に延び、そして下方に延びて形成され、ダストケース２の流入口２ｂ（図２参照）と接続されている。これにより、ダストケース２の収容部２ａ内において旋回流を発生させることができ、遠心力による塵埃の分離を効果的に行うことができる。
【００４４】
ダストケース２および蓄電池３のそれぞれの幅は、本体部１０の幅Ｗよりも若干短く形成されている。換言すると、ダストケース２や蓄電池３が本体部１０の側方から突出しないように構成されている。これにより、使用者が左右どちらの手で持って掃除を行ったとしても、電気掃除機１００を前後方向に円滑に動かすことができ、使い勝手を向上できる。
【００４５】
図６は、図５のＶＩ−ＶＩ線断面図である。なお、図６は、電気掃除機１００から気密保持部材９０を取り外した状態である。
【００４６】
図６に示すように、本体部１０のモータケース部１１には、電動送風機４０が収容されている。また、モータケース部１１内には、電動送風機４０の下方に、掃除機本体１を制御する本体基板５０（制御基板）が収容されている。
【００４７】
電動送風機４０は、回転駆動軸４０ａが前後方向を向くように横置きに配置されている。また、電動送風機４０から排出された空気は、電動送風機４０の下方に配置された本体基板５０に流れ、本体基板５０を冷却するようになっている。また、本体基板５０を冷却した一部の空気は、蓄電池３を冷却するようになっている。
【００４８】
本体基板５０は、上下に分割して２段に配置された上部基板５０ａと下部基板５０ｂとを有し、主に対向する面（上部基板５０ａの下面と下部基板５０ｂの上面）に各種部品が実装されている。電動送風機４０から排出された空気のほとんどは、各本体基板５０の対向配置された部品（発熱部品）を冷却するように流れる。また、本体基板５０は、難燃性の樹脂ケース５１で覆われており、電動送風機４０から排出された風（空気）は、樹脂ケース５１内を後側から前側に向けて流れ、そして、樹脂ケース５１の底面の下側を通って、蓄電池３側に流れるようになっている。
【００４９】
また、電動送風機４０と本体基板５０は、上下方向に重なるように配置されている。このため、前後方向の寸法を短くできる。また、電動送風機４０は、モータケース部１１がハンドル部１２側に膨出して形成されることで、本体部１０の前後方向（全長）の寸法を短くできる。
【００５０】
また、電動送風機４０および本体基板５０は、ハンドル部１２の第１把持部１２ａ１の下方に位置している。これにより、使用者が把持部１２ａ１を握って操作する場合、電気掃除機１００の重心が第１把持部１２ａ１の下方近傍になるので、電気掃除機１００の先を上向きで使用する場合、電気掃除機１００を安定して保持できる。
【００５１】
また、第１把持部１２ａ１とモータケース部１１の上面１１ｃとの間には、手を挿入するための幅寸法Ｈ１の隙間１２ｃが形成されている。また、第２把持部１２ａ２とモータケース部１１の背面１１ｄとの間には、幅寸法Ｈ１よりも広い幅寸法Ｈ２の隙間１２ｄが形成されている。このように、第１把持部１２ａ１を把持して掃除する場合には、腕を伸ばした状態で保持できるので、第１把持部１２ａ１を強く握ることなく、電気掃除機１００を前後に動かすことができる。また、第２把持部１２ａ２を把持して掃除する場合には、隙間１２ｄに手（指）を深く挿入して強く握る必要があるので、幅寸法Ｈ２を幅寸法Ｈ１よりも広くすることで、第２把持部１２ａ２を安定して把持することができる。
【００５２】
また、第１把持部１２ａ１の厚みＴ１は薄く形成され、第２把持部１２ａ２の厚みＴ２は厚みＴ１よりも厚く形成されている。つまり、第１把持部１２ａ１は細く、第２把持部１２ａ２は太く形成されている。このように、第２把持部１２ａ２を握って掃除する場合には、第２把持部１２ａ２の厚みＴ２を厚くすることで、深く握り易くなるとともに、第２把持部１２ａ２の強度を高くすることができる。
【００５３】
蓄電池３は、例えば、エネルギ効率の高いリチウムイオン電池で構成することができる。また、蓄電池３は、ハンドル部１２の第２把持部１２ａ２の下方に配置されている。このように、蓄電池３を電気掃除機１００の後端に設けることで、ハンドル部１２の重心が第２把持部１２ａ２に近くなるので、電気掃除機１００の先を上向きで使用する場合、操作感を軽くすることができる。
【００５４】
ロック部材１３は、後端部にボタン型の操作部１３ａが形成されている。この操作部１３ａは、前方に延びる腕部１３ｂを有し、腕部１３ｂの前端が本体部１０に支持されている。また、腕部１３ｂは、ばね１３ｃによって下方に付勢されている。これにより、ロック部材１３がロック凹部３ｇに嵌合してロックされている場合には、操作部１３ａがロック凹部３ｇから抜け出ないようになっている。また、蓄電池３を本体部１０から取り外す場合には、操作部１３ａを押圧することによって、ばね１３の付勢力に反発しながら、操作部１３ａがロック凹部３ｇから抜け出ることができる。
【００５５】
このように、蓄電池３を着脱式にすることによって、蓄電池が着脱不可のものに比べて、蓄電池３の交換がし易くなる。また、予備の蓄電池３と、予備の蓄電池３を充電可能な充電ボックスをオプションで用意することで、電気掃除機１００の本体側の蓄電池が消耗した場合に予備の蓄電池３に交換することで、掃除時間を延長することが可能になる。このように構成することで、例えば、店舗などの広い床面を掃除する場合に有効である。
【００５６】
図６に示すように、本体部１０の接続口１０ａの先端面を通る面をＲ１としたときに、ダストケース２の先端２ｆと面Ｒ１（紙面に対して鉛直方向に延びる面）とが略面一となるように構成されている。なお、ダストケース２の先端２ｆは、面Ｒ１よりも前方に突出しないようになっている。これにより、掃除機本体１に気密保持部材９０を取り付けない状態で掃除する場合でもあっても、接続口１０ａの先端をフローリングなどの硬い床面に接触させながら掃除することができる。
【００５７】
ダストケース２内には、収容部２ａの軸方向の後端にフィルタ５が収容されている。このフィルタ５は、プリーツ状に折って構成されたものであり、フィルタ面積を大きくできるとともに、フィルタ５による圧力損失を低減することができる。
【００５８】
また、フィルタ５は、例えば高密度のＨＥＰＡフィルタ（High Efficiency Particulate Air Filter）で構成されている。ＨＥＰＡフィルタとは、定格風量で粒径が０.３μｍの粒子に対して９９.９７％以上の粒子捕集率をもち、かつ初期圧力損失が２４５Ｐａ以下の性能を持つエアフィルタである。
【００５９】
図７（ａ）（ｂ）および図９（ａ）（ｂ）は、本実施形態における電気掃除機１００を取り外した状態の充電台７０ａと充電台７０ｂの斜視図であり、図８および図１０はぞれぞれの分解図である。ベース部材７１とスタンド部材７２の接続部およびスタンド部材７２とホルダ部材７３の接続部は同一形状となっており、組み替え可能に構成されている。つまり、後述するベース部材７１のベース突起形状部７１ｃと、スタンド部材７２のスタンド突起形状部７２ｂの形状は同一形状であり、また、スタンド部材７２の凹形状部７２ｈと、ホルダ部材７３の凹形状部７３ｈの形状は同一形状である。
【００６０】
ベース部材７１は、標準吸口４００（図１参照）が載置される略矩形状の載置面７１ａを有している。また、ベース部材７１は、幅方向（左右方向）の略中央、かつ長さ方向（前後方向）の略3/4程度のところに、上方に延びる延出部７１ｂを有している。この延出部７１ｂの先端には、スタンド部材７２またはホルダ部材７３を選択可能に取り付けることが可能なベース突起形状部７１ｃが設けられている。また、ベース部材７１は、内部におもり７５(図示せず)が設けられ、充電台７０に電気掃除機１００を装着したときに充電台７０が倒れにくくなっている。
【００６１】
スタンド部材７２は、略筒状となっており、下端部はベース部材７１のベース突起形状７１ｃと嵌合する凹形状部７２ｈとなっている。また、上端部はホルダ部材７３を取り付けることが可能なスタンド突起形状部７２ｂが設けられており、これはベース部材７１の上端に設けられたベース突起形状部７１ｃの形状と同一となっている。
【００６２】
このように構成されたスタンド部材７２とホルダ部材７３とベース部材７１を連結して接続することで、図７に示すように、ベース部材７１とスタンド部材７２、ホルダ部材７３とが連続した面となり、外観上良好な充電台７０を得ることができる。
【００６３】
また、ホルダ部材７３とベース部材７１とを連結して接続することで、図９に示すようにホルダ部材７３とベース部材７１とが連続した面となり、外観上良好な充電台を得ることができる。
【００６４】
つまり、充電台７０ａや充電台７０ｂは、掃除機本体１の蓄電池３を充電するためのＡＣアダプタ８０と、ＡＣアダプタ８０を着脱可能なものであり、充電台７０ａのようなベース部材７１とスタンド部材７２とホルダ部材７３の組み合わせと、充電台７０ｂのようなベース部材７１とホルダ部材７３の組み合わせの２通りで選択可能に使用できる。電気掃除機１００を主に、ハンディ状態で使用するか、スティック状態で使用するかといった電気掃除機１００の使用状態に応じて充電時の収納方式を選択可能な電気掃除機を提供できる。
【００６５】
なお、スタンド部材７２は、複数の部材に分割可能に構成されていてもよい。この場合、好みの高さも選択可能な充電台を備えた電気掃除機を提供できる。
【００６６】
なお、ホルダ部材７３には、壁面にネジなどで固定可能な穴部が設けられていてもよい。
【００６７】
図１１（ａ）（ｂ）は、ホルダ部材７３のＡＣアダプタ８０の出力プラグ８１取付部の拡大図である。ホルダ部材７３の上面７３ｂには、ＡＣアダプタ８０の出力プラグ８１を取付可能な開口部７３iが設けられており、ここに出力プラグ８１を取り付けることで電気掃除機１００を充電する充電台として使用することが可能となる。出力プラグ８１は、ホルダ部材７３の上面７３ｂから上方に突出するように取り付けられており、その左右には本体取付時にガイドとなる略直方体形状のガイド部７３ａを有している。このガイド部７３ａにより、出力プラグ８１に負荷がかかりにくい構成となっている。このガイド部７３ａは、先端に面取り部が形成されている。
【００６８】
また、ホルダ部材７３の前面７３ｄには、略リブ状のガイド部７３ｅが形成されている。このガイド部７３ｅは、掃除機本体１（図２参照）を出力プラグ８１３に案内するとともに、掃除機本体１の倒れ込みを防止する部材であり、前面７３ｄの両端縁部から前方に突出して形成されている。また、その下部には突起７３ｆが設けられており、掃除機本体１に取り付けられているダストケース２の底部と嵌合することでより掃除機本体１の倒れ込みを防止するように形成されている。
【００６９】
図１２は、ＡＣアダプタ８０の出力プラグ８１と接続される電気掃除機の本体端子部をダストケース側から見上げた状態を示す斜視図である。
【００７０】
図１２に示すように、掃除機本体１の本体端子部１７には、充電台７０のガイド部７３ａ（図２０参照）が嵌合する嵌合凹部１７ａが形成されている。嵌合凹部１７ａ内中央には、ＡＣアダプタ８０の出力プラグ８１と接続される入力ジャック１７ｂが配置されている。入力ジャック１７ｂは、蓄電池３の端子部３ｂと接続される端子（不図示）とリード線（不図示）で接続されている。
【００７１】
図１３は、ＡＣアダプタ８０の外観図である。なお、本実施例ではコンセントに直接ＡＣアダプタを接続するタイプを採用しているが、ＡＣアダプタ８０本体からプラグ付コードを介してコンセントに接続するタイプを使用してもよい。
【００７２】
図１４は、ＡＣアダプタ８０を直接電気掃除機に接続して充電する状態を示す外観図である。このように構成することで充電台の置き場所が無い場合でも省スペースで充電することが可能となる。
【００７３】
図１５（ａ）は、ＡＣアダプタ８０を充電台のホルダ部材に取り付ける様子を示す斜視図、図１５（ｂ）（ｃ）（ｄ）は中央断面図である。
【００７４】
使用者は、掃除機本体１を下向きにし、掃除機本体１を出力プラグ８１の上方から下降させることによって、出力プラグ８１に本体端子部１７が接続される。このとき、出力プラグ８１が上向きに形成されているので、電気掃除機１００の自重によって、本体端子部１７を出力プラグ８１に確実に接続することができる。
【００７５】
図１６は、本体端子部と出力プラグ８１との接続状態を示す断面図である。充電台７０のガイド部７３ａと本体の嵌合凹部１７ａが嵌合すると、その中央に位置する出力プラグ８１と入力ジャック１７ｂが勘合し、ＡＣアダプタ８０と電気掃除機１が電気的に接続される。掃除機本体１が充電台７０に装着されている間は、出力プラグ８１と入力ジャック１７ｂとは接触した状態を維持し、蓄電池３への充電が継続される。
【００７６】
また、出力プラグ８１は、本体端子部１７と凹凸嵌合しているので、例えば、充電中に使用者が掃除機本体１に接触したとしても、本体端子１７ｄと端子７３ｃとの導通状態（接触状態）が解除されることはない。
【００７７】
このように構成された充電台７０では、出力プラグ８１がスタンド部材７２の上面７２ｂに形成されているので、出力プラグ８１に本体端子部１７を装着するときに、使用者の目線に近い位置にあるので、出力プラグ８１に本体端子部１７を挿入し易くなり、掃除機本体１を充電台７０にセットし易くなる。
【００７８】
また、充電台７０では、出力プラグ８１がスタンド部材７２の上面７２ｂに形成されている。つまり、出力プラグ８１が床面から高い位置に形成されているので、出力プラグ８１にごみが堆積し難くなり、また床面から埃が上がってきて付着することも低減できる。
【００７９】
また、充電台７０にセットした電気掃除機１００では、電気掃除機１００の重心に近い位置（電動送風機４０および蓄電池３の位置）に出力プラグ８１が位置するので、重心付近を出力プラグ８１が受けることで、充電中において充電台７０に掃除機本体１を安定して保持できる。
【００８０】
また、充電台７０に電気掃除機１００をセットすることにより、ダストケース２を取り外した状態で充電できるので、ダストケース２を洗浄、乾燥させている最中であっても充電することができる。
【００８１】
また、出力プラグ８１が上向きで、本体端子部１７が上方から出力プラグ８１に接続される構成である。これにより、電気掃除機１００の自重を出力プラグ８１に重点的に作用させることができるので、本体端子部１７と出力プラグ８１とを確実に接続することができる。
【００８２】
スタンド部材７２およびホルダ部材７３の背面には、ＡＣアダプタ８０の出力コード８２を配線可能な溝部７２ｇ、７３ｇが設けられている。
【００８３】
なお、図示していないが、充電台７０では、電気掃除機１００に標準吸口４００や他のアタッチメントを接続した状態で収納・充電することもできる。
【００８４】
なお、充電台７０は、ＡＣアダプタ８０を接続せず、蓄電池３の充電を行わない場合でも、電気掃除機１００を収納する際のスタンドとして使用することができる。
【００８５】
また、電気掃除機１００を充電台７０に収納している状態では、蓄電池３が上端に位置、ロック部材１３が蓄電池３の上端に位置しているので、蓄電池３の着脱を容易に行うことができる。
【００８６】
言い換えると、掃除機を収納可能な掃除機収納台において、掃除機収納台は、ベース部材７１と、スタンド部材７２と、ホルダ部材７３を有し、ベース部材７１とホルダ部材７３のみを接続する状態の掃除機収納台は、第一状態（ハンディ状態）の掃除機を収納可能であり、ベース部材７１とスタンド部材７２とホルダ部材７３を接続する状態の掃除機収納台は、第二状態（スティック状態）の掃除機を収納可能である掃除機収納台であれば、電気掃除機１００の使用状態に応じて収納時の収納方式を選択可能な電気掃除機を提供できるという効果を奏する。
【００８７】
図１７は、スティック状態の電気掃除機で床面を掃除するときの使用形態図である。
【００８８】
図１７は、電気掃除機１００（気密保持部材９０を装着したまま）に延長管３００および標準吸口４００を接続してスティック状態にし、電気掃除機１００を使用者よりも前方に突き出して床面を掃除する場合である。この場合、使用者は、ハンドル部１２の第２把持部１２ａ２を把持しながら、電気掃除機１００を前後に移動させながら掃除を行うことができる。また、図示していないが、電気掃除機１００を使用者の左右の脇に位置した状態で床面を掃除する場合には、使用者は、ハンドル部１２の第１把持部１２ａ１を把持しながら、電気掃除機１００を前後に移動させることができる。このように、使用者が床面を掃除する場合には、ハンドル部１２の位置を持ち替えて掃除することができる。
【００８９】
図１８は、スティック状態の電気掃除機で高い場所を掃除するときの使用形態図である。
【００９０】
ところで、スティック状態にしたときに重心が先端側にある電気掃除機（特開２０１６−１３７１６５号公報参照）では、電気掃除機を床面より高い場所で掃除する場合、使用者が電気掃除機の先を上向きに持ち上げる必要があるので手首に負担が掛かり易くなる。
【００９１】
そこで、本実施形態では、図１８に示すように、電気掃除機１００の重量物である電動送風機４０（図６参照）や蓄電池３がハンドル部１２に近い位置（手元に近い位置）にあるので、電気掃除機１００の重心Ｇが、使用者の手元に近くなる。これにより、電気掃除機１００をスティック状態にして、電気掃除機１００を床面より高い場所を掃除する場合であっても掃除し易くなり、使い勝手を向上できる。図１８では、階段を掃除する場合を例に挙げて説明したが、電気掃除機１００を持ち上げてエアコンの室内機のパネルなどを掃除する場合にも有効である。
【符号の説明】
【００９２】
１      掃除機本体
２      ダストケース
３      蓄電池（蓄電装置）
３ｅ    導入孔
３ｆ    排出孔
３ｈ，３ｈ１，３ｈ２  単電池（電池セル）
１０    本体部
１０ａ  接続口（吸引口）
１０ｃ  発光素子
１１    モータケース部
１１ｓ  導出孔
１２    ハンドル部
４０    電動送風機
５０    本体基板（制御基板）
７０    充電台
８０    ＡＣアダプタ
９０    気密保持部材
１００  電気掃除機
１１０  隙間・ブラシ切替ノズル（アタッチメント、付属品）
３００  延長管（アタッチメント、付属品）
４００  標準吸口（アタッチメント、付属品）
６００  小型吸口（アタッチメント、付属品）
７００  ほうき型吸口（アタッチメント、付属品）
８００  延長ホース（アタッチメント、付属品）
【図１】
2019187576.tif 000003
【図２】
2019187576.tif 000004
【図３】
2019187576.tif 000005
【図４】
2019187576.tif 000006
【図５】
2019187576.tif 000007
【図６】
2019187576.tif 000008
【図７】
2019187576.tif 000009
【図８】
2019187576.tif 000010
【図９】
2019187576.tif 000011
【図１０】
2019187576.tif 000012
【図１１】
2019187576.tif 000013
【図１２】
2019187576.tif 000014
【図１３】
2019187576.tif 000015
【図１４】
2019187576.tif 000016
【図１５】
2019187576.tif 000017
【図１６】
2019187576.tif 000018
【図１７】
2019187576.tif 000019
【図１８】
2019187576.tif 000020